(57)【特許請求の範囲】
【請求項１】
色相座標上で、赤色、緑色、青色の３原色信号の軸を含みかつそれぞれの軸に対して直交する軸を持つ複数の色相軸を生成し、これら色相軸で分割された色相領域毎に色補正を行う色補正装置であって、
入力映像信号から前記複数の色相軸の信号を生成する色相軸生成回路と、
前記複数の色相軸の信号から対応する前記色相領域を識別する色相領域識別回路と、
前記複数の色相軸の信号から色補正を行う色相領域を挟む２つの色相軸にそれぞれ直交する第１，第２の色相軸の信号を選択する色相軸選択回路と、
前記第１，第２の色相軸の信号のゲインをそれぞれ可変する第１，第２のゲイン可変手段と、
前記第１のゲイン可変手段の出力信号に対しては、色補正を行う領域を挟む２つの色相軸のうち、前記第１の色相軸と直交しない軸の赤色、緑色、青色成分の比率にゲインを変換する第１のゲイン変換手段と、
前記第２のゲイン可変手段の出力信号に対しては、色補正を行う領域を挟む２つの色相軸のうち、前記第２の色相軸と直交しない軸の赤色、緑色、青色成分の比率にゲインを変換する第２のゲイン変換手段と、
前記各ゲイン変換手段からのＲ軸方向、Ｇ軸方向、Ｂ軸方向のそれぞれの出力を、対応する前記入力映像信号の３原色信号に加算する加算回路と、
前記色相領域識別回路からの識別信号に基づいて、前記色相軸選択回路、第１，第２のゲイン可変手段及び第１，第２のゲイン変換手段を、各色相領域に応じて制御して各色相領域の彩度を独立して補正する制御回路とを備えることを特徴とする色補正装置。
【請求項２】
色相座標上で、赤色、緑色、青色の３原色信号の軸を含みかつそれぞれの軸に対して直交する軸を持つ複数の色相軸を生成し、これら色相軸で分割された色相領域毎に色補正を行う色補正装置であって、
入力映像信号から前記複数の色相軸の信号を生成する色相軸生成回路と、
前記複数の色相軸の信号から対応する前記色相領域を識別する色相領域識別回路と、
前記複数の色相軸の信号から色補正を行う色相領域を挟む２つの色相軸にそれぞれ直交する第１，第２の色相軸の信号を選択する色相軸選択回路と、
前記第１，第２の色相軸の信号のゲインをそれぞれ可変する第１，第２のゲイン可変手段と、
前記第１のゲイン可変手段の出力信号に対しては、色補正を行う領域を挟む２つの色相軸のうち、前記第１の色相軸と直交しない軸に対しその軸に垂直な方向に色相を動かす赤色、緑色、青色成分の比率にゲインを変換する第１のゲイン変換手段と、
前記第２のゲイン可変手段の出力信号に対しては、色補正を行う領域を挟む２つの色相軸のうち、前記第２の色相軸と直交しない軸に対しその軸に垂直な方向に色相を動かす赤色、緑色、青色成分の比率にゲインを変換する第２のゲイン変換手段と、
前記各ゲイン変換手段からのＲ軸方向、Ｇ軸方向、Ｂ軸方向のそれぞれの出力を、対応する前記入力映像信号の３原色信号に加算する加算回路と、
前記第１，第２のゲイン可変手段の各ゲインの正負を判定するゲイン正負判定回路と、
前記色相領域識別回路からの識別信号および前記ゲイン正負判定回路の判定信号に基づいて、前記色相軸選択回路、第１，第２のゲイン可変手段および第１，第２のゲイン変換手段を、各色相領域に応じて制御して各色相領域の色度を独立に補正する制御回路とを備えることを特徴とする色補正装置。
【請求項３】
前記第１，第２のゲイン可変手段において、各色相領域を分割する色相軸上で彩度の不連続が生じないように、色相軸前後の補正のゲインを同じゲイン設定にする請求項１記載の色補正装置。
【請求項４】
前記第１，第２のゲイン可変手段において、各色相領域を分割する色相軸上で色度の不連続が生じないように、色相軸前後の補正のゲインを同じゲイン設定にする請求項２記載の色補正装置。
【請求項５】
請求項１または３の色補正装置および請求項２または４の色補正装置の少なくとも一方の色補正装置と、
赤色、緑色、青色の３原色信号成分より構成される基準の色信号を発生する基準色発生回路と、
前記基準色発生回路の出力信号と実際の撮像被写体より得られる赤色、緑色、青色の３原色信号成分から構成される映像信号とを切り換えて前記色補正装置に出力する切り換え回路と、
前記切り換え回路からの出力信号が入力される前記色補正装置の前記ゲイン変換手段の出力信号に基づいて、前記基準色発生回路の出力信号の場合と実際の撮像被写体の映像信号の場合との彩度及び色度の少なくとも一方の補正量の差を算出する補正量差算出回路と、
前記補正量差算出回路の出力信号と予め定められた基準レベルの信号とを比較してその差に応じた出力を与える比較回路とを有し、
前記比較回路の出力に基づいて、前記色補正装置の補正ゲインを制御することを特徴とする色補正装置。
【請求項６】
請求項１または３の色補正装置および請求項２または４の色補正装置の少なくとも一方の色補正装置と、
前記色補正装置から出力される色補正された信号に基づいて色差信号を作成するとともに、前記色差信号の高周波成分を抽出して、高彩度画像時の周波数補正を行うクロマディテール回路と、
前記色補正装置での彩度および色度の少なくとも一方の補正量を決めるゲイン定数と前記クロマディテールの回路の補正量を決めるクロマディテールゲイン定数とに基づいて、前記クロマディテール回路のゲインをコントロールするゲインコントロール回路とを備えることを特徴とする色補正装置。
【請求項７】
前記ゲインコントロール回路は、彩度のゲイン定数が正の場合はクロマディテールのゲインを小さく、負の場合は大きくするようにコントロールする請求項６記載の色補正装置。
【発明の詳細な説明】
【０００１】
【発明の属する技術分野】
本発明は、特に放送用、業務用などの撮像装置等に要求される高度な色再現性を実現する為のカラー映像信号の色補正装置に関するものである。
【０００２】
【従来の技術】
従来のカラー映像信号の色補正装置としては、例えば６色独立色調補正方式がある。この６色独立補正方式は、白バランスを変えることなく、Ｒ（赤）、Ｍａ（マゼンタ）、Ｂ（青）、Ｃｙ（シアン）、Ｇ（緑）、Ｙｅ（黄）の６色に対してそれぞれ独立に、彩度（色飽和度）、及び色度（色相）の補正を行うものであり、具体例としては、例えば特開平３−２７２２９４号公報がある。
【０００３】
ここで、図１５に基づいて、６色独立色調補正方式の従来例について説明する。同図において、５６，５７，５８は演算・比較器、５９は色相領域判定回路、６０は原色成分量及び補色成分量算出回路、６１は定数選択回路、６２，６３は乗算器、６４，６５は−１倍乗算器、６６はデータ選択加算回路、６７，６８，６９は加算器である。
【０００４】
以上のように構成された従来の色補正装置の動作について図１６〜図１９を用いて説明する。
【０００５】
まず演算・比較器５６，５７，５８により入力映像信号Ｒ，Ｇ，Ｂから色差信号Ｒ−Ｇ，Ｒ−Ｂ，Ｇ−Ｂの演算及びその大小比較を行い、その結果を色相領域判定回路５９と原色成分量及び補色成分量の算出回路６０に供給する。
そこで演算・比較器５６，５７，５８による演算結果により、まず色相領域判定回路５９では、図１６に示すようにして、色相領域の判定を行う。図１７は、この色相領域の概念図で、中心点から各色方向に向かう直線を基準として、これにより６個の色相領域に区切ったものである。
【０００６】
また、原色成分量及び補色成分量の算出回路６０では、信号Ｒ，Ｇ，Ｂのレベル比較を行い、図１８に示すようにして最大レベル、中間レベル、最小レベルを判定する。そして、この比較判定の過程で、最大レベルと中間レベルのレベル差を求め、これを原色成分量とし、さらに中間レベルと最小レベルのレベル差を求め、これを補色成分量とする。ここで、最大レベルの色が原色に相当し、最小レベルの成分が白成分に相当する。そして、最大レベルの色と最小レベルの色の情報から補色が判定でき、この結果、図１６に示すように、原色成分と補色成分を判定することができる。
【０００７】
図１８に示す例は、最大レベルがＲで、中間レベルがＧなので、原色成分はＲ、補色成分はＲとＧの中間の色相のＹｅ（黄）になる。そして原色成分量はＲ−Ｇ、補色成分量はＧ−Ｂとなり最小レベルＢのレベルが白色成分量となる。
【０００８】
色相領域判定回路５９による色相領域判定結果は定数選択回路６１に供給され、判定結果に応じて特定の利得定数が選択され、それが乗算器６２，６３に供給されることにより、算出回路６０で算出された原色成分量及び補色成分量にそれぞれ乗算されることにより補正が行われる。このため定数選択回路６１には予め領域１から領域６までのそれぞれの色相領域に対応した特定の利得定数が設定されている。
【０００９】
こうして乗算器６２，６３により利得定数が乗算された原色成分量及び補色成分量は、加算・減算の選択及び映像信号Ｒ、Ｇ、Ｂに対する接続選択を行う為のデータ選択回路６６に、一方では直接、他方では補数器（−１倍乗算器）６４，６５を介して、それぞれ供給される。そして、このデータ選択加算回路６６により加算先が選択された上で各加算器６７，６８，６９に供給され、映像信号Ｒ、Ｇ、Ｂに加算されることになる。
【００１０】
そこで、いま、信号Ｒの色調補正を行う場合、例えば彩度方向の補正であれば原色成分量Ｒ−Ｇに特定の定数Ｋｒを乗じてから映像信号Ｒに加算することになる。この時、定数Ｋｒの比率が−１倍から１倍の範囲であれば、この補正によっても、中間レベルと最小レベルのレベル差（補色成分量）、及び最小レベルの量（白色成分量）は変化しない。
【００１１】
また、信号Ｙｅの彩度方向の補正を行う場合、補色成分量Ｇ−Ｂに特定の定数Ｋｙを乗じてからＲとＧにそれぞれ加算することになる。このときも、定数Ｋｙの比率が−１倍から１倍の範囲であれば、この補正によっても、最大レベルと中間レベルのレベル差（原色成分量）、及び最小レベルの量（白色成分量）は変化しない。
【００１２】
従って、この場合には、定数Ｋｒ及びＫｙの操作により、白バランスを保ちながら原色Ｒと補色Ｙｅの彩度方向の補正を独立して行うことができる。他の色相についても同様である。なお、以上の６色独立色調補正方式では、同様に色度方向の補正も独立に行える。
【００１３】
【発明が解決しようとする課題】
しかしながら上記従来の技術においては、Ｒ、Ｍａ、Ｂ、Ｃｙ、Ｇ、Ｙｅの６色に近い色に関しては、有効に作用するが、それらの中間色については十分な動作をしない。例えばＲとＹｅの中間の色相である肌色等の補正では、特に人間の記憶に残りやすいため、色調の微妙な違いが認識されやすい。したがって、肌色らしい色が得られるように、予め正確な色調補正が必要になるが、中間色であるため，従来技術では細かな補正が困難で、正しい肌色の補正ができなかった。
【００１４】
図１９に、従来技術で肌色付近の補正をする場合のＲとＹｅの彩度方向のゲインを示すが、図１９から分かるように、ＲとＹｅの彩度方向ゲインを強くすれば肌色の彩度方向のゲインを上げることは可能であるが、ＲとＹｅの色調に大きく影響するため実際には使えない。
【００１５】
また、上記従来の技術を発展させ、６色をさらに分割し、６色の基準軸とその間の補助基準軸により、中間色を補正する技術も提案されているが（例えば特開平９−２４７７０１）、補正する色を補正する色を挟む基準軸と補助基準軸に分解するための手段が必要であり、回路規模が増大し簡単に補正することは困難であった。
【００１６】
また、放送用、業務用では多数のテレビジョンカメラの映像をスイッチャーで切り換えて使用する場合が多く、各カメラの色調を同一にすることは非常に重要である。また、輝度の尖鋭感と同様に、色についても高彩度時の尖鋭感等、切り換え映像の違和感をなくす上で同一に調整することは重要であるが、従来技術では、対応が困難である。
【００１７】
このように、従来の色補正装置は以上のような課題を有していた。
【００１８】
本発明はかかる点を鑑み、回路規模の大幅な増大なしに簡単な構成で基準色のみならずそれらの中間色、さらにはその基準色と中間色のさらに中間色という具合に、色相を細かく分割しそれらを独立に色補正ができるようにした色補正装置を提供することを目的とし、さらにこの色補正装置を用いて複数台のテレビジョンカメラの色調統一を簡単に行え、さらには高彩度時の尖鋭感に対する影響も少なくできるようにすることを目的とする。
【００１９】
【課題を解決するための手段】
この課題を解決するために本発明は、３原色成分の軸を含みかつそれぞれの軸に対して直交する軸を持つ複数の色相軸を生成し、これら色相軸で分割された色相領域毎に色補正を行う色補正装置であって、色相軸生成回路により複数の色相軸の信号を生成し、色相領域識別回路により複数の色相軸の信号から色相領域を識別し、識別された色相領域を補正する場合、色相軸選択回路でその色相領域を挟む２つの色相軸に対しそれぞれ直交する２軸の第１，第２の色相軸の信号を選択し、第１，第２のゲイン可変手段でそれぞれの補正領域にあった彩度の補正ゲインで第１，第２の色相軸の信号のゲインをコントロールする。さらに第１のゲイン可変手段の出力信号を、色補正を行う領域を挟む２軸のうち、第１の色相軸と直交しない軸の赤色、緑色、青色成分の比率に、第１のゲイン変換手段によってゲインを変換し、同様に第２のゲイン可変手段の出力信号を、色補正を行う領域を挟む２軸のうち、第２の色相軸と直交しない軸の赤色、緑色、青色成分の比率に、第２のゲイン変換手段によってゲインを変換し、これらのゲイン変換されたＲ軸方向、Ｇ軸方向、Ｂ軸方向の信号をそれぞれ対応する入力信号に加算することにより、彩度方向の補正を実現するものである。
【００２０】
これにより、各色相領域の彩度を独立に補正することができ、色相領域を細かく分割することで、中間色の彩度の細かな補正も可能となる。
【００２１】
また、本発明は、色度を補正するために、第１のゲイン可変手段の出力信号を色補正を行う領域を挟む２軸のうち、第１の色相軸と直交しない軸に対しその軸に垂直な方向に色相を動かす赤色、緑色、青色成分の比率にゲインを変換する第１のゲイン変換手段によりゲイン変換し、同様に第２のゲイン可変手段の出力信号を、色補正を行う領域を挟む２軸のうち、第２の色相軸と直交しない軸に対しその軸に垂直な方向に色相を動かす赤色、緑色、青色成分の比率にゲインを変換する第２のゲイン変換手段によりゲイン変換し、これらのゲイン変換されたＲ軸方向、Ｇ軸方向、Ｂ軸方向の信号をそれぞれ対応する入力信号に加算することにより、色度の補正を実現するものである。
【００２２】
これにより、各色相領域の色度を独立に補正することができ、色相領域を細かく分割することで、中間色の色度の細かな補正も可能となる。
【００２３】
【発明の実施の形態】
本発明の請求項１に記載の発明は、色相座標上で、赤色、緑色、青色の３原色信号の軸を含みかつそれぞれの軸に対して直交する軸を持つ複数の色相軸を生成し、これら色相軸で分割された色相領域毎に色補正を行う色補正装置であって、入力映像信号から前記複数の色相軸の信号を生成する色相軸生成回路と、前記複数の色相軸の信号から対応する前記色相領域を識別する色相領域識別回路と、前記複数の色相軸の信号から色補正を行う色相領域を挟む２つの色相軸にそれぞれ直交する第１，第２の色相軸の信号を選択する色相軸選択回路と、前記第１，第２の色相軸の信号のゲインをそれぞれ可変する第１，第２のゲイン可変手段と、前記第１のゲイン可変手段の出力信号に対しては、色補正を行う領域を挟む２つの色相軸のうち、前記第１の色相軸と直交しない軸の赤色、緑色、青色成分の比率にゲインを変換する第１のゲイン変換手段と、前記第２のゲイン可変手段の出力信号に対しては、色補正を行う領域を挟む２つの色相軸のうち、前記第２の色相軸と直交しない軸の赤色、緑色、青色成分の比率にゲインを変換する第２のゲイン変換手段と、前記各ゲイン変換手段からのＲ軸方向、Ｇ軸方向、Ｂ軸方向のそれぞれの出力を、対応する前記入力映像信号の３原色信号に加算する加算回路と、前記色相領域識別回路からの識別信号に基づいて、前記色相軸選択回路、第１，第２のゲイン可変手段及び第１，第２のゲイン変換手段を、各色相領域に応じて制御して各色相領域の彩度を独立して補正する制御回路とを備えるものであり、選択された２軸（第１，第２の色相軸）の信号を補正信号として、これらの信号が各補正領域を挟む２軸の軸上方向のゲインを可変する作用を有し、各色相領域の彩度を独立に補正することができ、色相領域を細かく分割することで、中間色の彩度の細かな補正も可能となる。
【００２４】
また、請求項２に記載の発明は、色相座標上で、赤色、緑色、青色の３原色信号の軸を含みかつそれぞれの軸に対して直交する軸を持つ複数の色相軸を生成し、これら色相軸で分割された色相領域毎に色補正を行う色補正装置であって、入力映像信号から前記複数の色相軸の信号を生成する色相軸生成回路と、前記複数の色相軸の信号から対応する前記色相領域を識別する色相領域識別回路と、前記複数の色相軸の信号から色補正を行う色相領域を挟む２つの色相軸にそれぞれ直交する第１，第２の色相軸の信号を選択する色相軸選択回路と、前記第１，第２の色相軸の信号のゲインをそれぞれ可変する第１，第２のゲイン可変手段と、前記第１のゲイン可変手段の出力信号に対しては、色補正を行う領域を挟む２つの色相軸のうち、前記第１の色相軸と直交しない軸に対しその軸に垂直な方向に色相を動かす赤色、緑色、青色成分の比率にゲインを変換する第１のゲイン変換手段と、前記第２のゲイン可変手段の出力信号に対しては、色補正を行う領域を挟む２つの色相軸のうち、前記第２の色相軸と直交しない軸に対しその軸に垂直な方向に色相を動かす赤色、緑色、青色成分の比率にゲインを変換する第２のゲイン変換手段と、前記各ゲイン変換手段からのＲ軸方向、Ｇ軸方向、Ｂ軸方向のそれぞれの出力を、対応する前記入力映像信号の３原色信号に加算する加算回路と、前記第１，第２のゲイン可変手段の各ゲインの正負を判定するゲイン正負判定回路と、前記色相領域識別回路からの識別信号および前記ゲイン正負判定回路の判定信号に基づいて、前記色相軸選択回路、第１，第２のゲイン可変手段および第１，第２のゲイン変換手段を、各色相領域に応じて制御して各色相領域の色度を独立に補正する制御回路とを備えるものであり、選択された２軸（第１，第２の色相軸）の信号を補正信号として、これらの信号が各補正領域を挟む２軸に対して垂直方向のゲインを可変する作用を有し、これにより、各色相領域の色度を独立に補正することができ、色相領域を細かく分割することで、中間色の色度の細かな補正も可能となる。
【００２５】
また、請求項３に記載の発明は、請求項１記載の発明において、前記第１，第２のゲイン可変手段において、各色相領域を分割する色相軸上で彩度の不連続が生じないように、色相軸前後の補正のゲインを同じゲイン設定にするものであり、これにより色相領域の境界で彩度の補正に段差が生じるのを回避できる。
【００２６】
また、請求項４に記載の発明は、請求項２記載の発明において、前記第１，第２のゲイン可変手段において、各色相領域を分割する色相軸上で色度の不連続が生じないように、色相軸前後の補正のゲインを同じゲイン設定にするものであり、これにより色相領域の境界で色度の補正に段差が生じるのを回避できる。
【００２７】
さらに、請求項５に記載の発明は、請求項１または３の色補正装置および請求項２または４の色補正装置の少なくとも一方の色補正装置と、赤色、緑色、青色の３原色信号成分より構成される基準の色信号を発生する基準色発生回路と、前記基準色発生回路の出力信号と実際の撮像被写体より得られる赤色、緑色、青色の３原色信号成分から構成される映像信号とを切り換えて前記色補正装置に出力する切り換え回路と、前記切り換え回路からの出力信号が入力される前記色補正装置の前記ゲイン変換手段の出力信号に基づいて、前記基準色発生回路の出力信号の場合と実際の撮像被写体の映像信号の場合との彩度及び色度の少なくとも一方の補正量の差を算出する補正量差算出回路と、前記補正量差算出回路の出力信号と予め定められた基準レベルの信号とを比較してその差に応じた出力を与える比較回路とを有し、前記比較回路の出力に基づいて、前記色補正装置の補正ゲインを制御するものであり、彩度及び色度の少なくとも一方の補正量（ゲイン）を、基準レベルの信号をもとに設定できることになり、これにより、本発明の色補正装置を備える複数の装置、例えば複数のテレビジョンカメラ等において彩度及び色度の少なくとも一方、すなわち、色調の統一が実現できる。
【００２８】
また、請求項６に記載の発明は、請求項１または３の色補正装置および請求項２または４の色補正装置の少なくとも一方の色補正装置と、前記色補正装置から出力される色補正された信号に基づいて色差信号を作成するとともに、前記色差信号の高周波成分を抽出して、高彩度画像時の周波数補正を行うクロマディテール回路と、前記色補正装置での彩度および色度の少なくとも一方の補正量を決めるゲイン定数と前記クロマディテールの回路の補正量を決めるクロマディテールゲイン定数とに基づいて、前記クロマディテール回路のゲインをコントロールするゲインコントロール回路とを備えるものであり、これにより、彩度及び色度の少なくとも一方の補正がなされた場合でも、尖鋭感を補正するクロマディテールのゲインを適切に調整でき、高彩度画像の尖鋭感への影響を抑えることができる。  また、請求項７に記載の発明は、請求項６記載の発明において、前記ゲインコントロール回路は、彩度のゲイン定数が正の場合はクロマディテールのゲインを小さく、負の場合は大きくするようにコントロールするものであり、これにより、彩度補正がなされていないのと同様のクロマディテール補正が可能となる。
【００２９】
以下、本発明の実施の形態について図面を用いて説明する。
【００３０】
（実施の形態１）
図１は本発明の実施の形態１における色補正装置の構成を示すブロック図である。
【００３１】
この実施の形態の色補正装置は、色相座標上で、赤色、緑色、青色の３原色信号の軸を含みかつそれぞれの軸に対して直交する軸を持つ複数の色相軸を生成し、これら色相軸で分割された色相領域毎に色補正を行うものであり、図１において、１は３原色信号成分からなる入力映像信号から前記複数の色相軸の信号を生成する色相軸生成回路、２は色相軸生成回路１の出力信号から分割された色相領域を識別する色相領域識別回路、３は色相軸生成回路１の色相軸の信号から色補正を行う領域を挟む２軸にそれぞれ直交する２軸を選択し、第１の色相軸として色相軸ＯＤＤと、第２の色相軸として色相軸ＥＶＥＮを出力する色相軸選択回路、４，５は色相軸選択回路３から出力される色相軸ＯＤＤと色相軸ＥＶＥＮの信号のゲインを可変するゲインコントロール回路ＯＤＤ及びＥＶＥＮ、６，７はゲインコントロール回路ＯＤＤ４及びＥＶＥＮ５にゲイン定数を切り換え出力するゲインセレクト回路ＯＤＤ及びＥＶＥＮであり、ゲインコントロール回路ＯＤＤ及びＥＶＥＮ４，５およびゲインセレクト回路ＯＤＤ及びＥＶＥＮ６，７によって、第１，第２の色相軸の信号のゲインを可変する第１，第２のゲイン可変手段が構成される。
【００３２】
８，９，１０はゲインコントロール回路ＯＤＤ４の出力信号に対して、色補正を行う２軸のうち第１の色相軸である色相軸ＯＤＤと直交していない軸の赤色、緑色、青色成分の比率にゲイン変換するＲ軸方向、Ｇ軸方向、Ｂ軸方向ゲイン変換回路、同様に１１，１２，１３はゲインコントロール回路ＥＶＥＮ５の出力信号に対して、色補正を行う２軸のうち第２の色相軸である色相軸ＥＶＥＮと直交していない軸の赤色、緑色、青色成分の比率にゲイン変換するＲ軸方向、Ｇ軸方向、Ｂ軸方向ゲイン変換回路であり、Ｒ軸方向、Ｇ軸方向、Ｂ軸方向ゲイン変換回路８，９，１０によって第１のゲイン変換手段が構成され、Ｒ軸方向、Ｇ軸方向、Ｂ軸方向ゲイン変換回路１１，１２，１３によって第２のゲイン変換手段が構成される。
【００３３】
１４は色相領域識別回路２の出力信号により各回路へ制御信号を出力する制御回路としての制御信号発生回路、１５，１６，１７は入力３原色信号とＲ軸方向、Ｇ軸方向、Ｂ軸方向ゲイン変換回路ＯＤＤ８〜１０及びＥＶＥＮ１１〜１３から出力される補正信号を加算する加算器である。
【００３４】
以上のように構成された実施の形態１による色補正装置の動作について、図２〜図５を用いて以下説明する。なお、以下の説明においては、図２〜図５等における領域▲１▼，▲２▼，▲３▼…を領域１，２，３…と表記する。
【００３５】
図２は色相座標上を６種類の色相軸ｆ１〜ｆ６で１２分割にした場合の概念図、図３は分割された色相領域の各領域と、色相軸信号の正負の対応を示す色相領域判別表、図４は色補正の一例を説明する為の説明図、図５はゲインセレクト回路６，７でのゲインセレクトの仕方とゲインのかかり方を説明する説明図である。
【００３６】
色相軸生成回路１では、図２に示すように色相座標を３０度ずつに分割し１２の色相領域に分割する６個の色相軸ｆ１〜ｆ６を生成する。つまりそれらの色相軸はＲ，Ｇ，Ｂの入力３原色信号から以下の演算式で与えられる。
【００３７】
ｆ１＝Ｂ−Ｇ
ｆ２＝２Ｇ−（Ｒ＋Ｂ）
ｆ３＝Ｇ−Ｒ
ｆ４＝２Ｒ−（Ｇ＋Ｂ）
ｆ５＝Ｒ−Ｂ
ｆ６＝２Ｂ−（Ｒ＋Ｇ）
色相軸生成回路１より作成された色相軸ｆ１〜ｆ６は、色相領域識別回路２及び色相軸選択回路３に入力される。
【００３８】
色相領域識別回路２では、図３に示すように、領域１〜領域１２のそれぞれの領域に対応する各色相軸の信号の正負により、各色相領域を識別し、制御信号発生回路１４へその識別信号を出力する。制御信号発生回路１４は、入力された識別信号に応じ、制御信号を色相軸選択回路３、ゲインセレクト回路ＯＤＤ６及びゲインセレクト回路ＥＶＥＮ７、Ｒ軸方向ゲイン変換回路ＯＤＤ８、Ｇ軸方向ゲイン変換回路ＯＤＤ９、Ｂ軸方向ゲイン変換回路ＯＤＤ１０及びＲ軸方向ゲイン変換回路ＥＶＥＮ１１、Ｇ軸方向ゲイン変換回路ＥＶＥＮ１２、Ｂ軸方向ゲイン変換回路ＥＶＥＮ１３へ出力する。
【００３９】
色相軸選択回路３は、制御信号発生回路４の出力信号により、色補正を行う領域を挟む２軸に対して、それぞれの軸に直交する２軸を選択し出力する。
【００４０】
例えば、図４に示すように領域１を補正する場合、領域１を挟む２軸は、ｆ１及びｆ２であり、ｆ１及びｆ２に直交する２軸はｆ４及びｆ５であるので、色相軸選択回路３より出力される第１の色相軸ＯＤＤとして色相軸ｆ５が、第２の色相軸ＥＶＥＮとしてｆ４が選択され出力される。
【００４１】
その後色相軸ＯＤＤの信号はゲインコントロール回路４により、ゲインセレクト回路ＯＤＤ６から出力されるゲイン信号により所定のゲイン定数が乗算され、Ｒ軸方向ゲイン変換回路ＯＤＤ８、Ｇ軸方向ゲイン変換回路ＯＤＤ９、Ｂ軸方向ゲイン変換回路ＯＤＤ１０に出力される。それぞれのゲイン変換回路ＯＤＤは、入力される色相軸ＯＤＤの信号を色相軸ｆ１（つまり、色相領域１を挟む２軸のうち第１の色相軸ＯＤＤと直交しない軸）のＲ，Ｇ，Ｂの比率にゲイン変換し、対応する加算回路１５，１６，１７に出力する。この例の場合、ｆ１はＲ：Ｇ：Ｂ＝１：０：２なので、Ｒ：Ｇ：Ｂ＝１：０：２の比率にゲイン変換し出力する。この信号が加算されれば、ｆ１軸上方向のゲインが可変されることになる。
【００４２】
同様に色相軸ＥＶＥＮの信号はゲインコントロール回路５により、ゲインセレクト回路ＥＶＥＮ７から出力されるゲイン信号により所定のゲイン定数が乗算され、Ｒ軸方向ゲイン変換回路ＥＶＥＮ１１、Ｇ軸方向ゲイン変換回路ＥＶＥＮ１２、Ｂ軸方向ゲイン変換回路ＥＶＥＮ１３に出力される。それぞれのゲイン変換回路ＥＶＥＮは、入力される色相軸ＥＶＥＮの信号を色相軸ｆ２（つまり、色相領域１を挟む２軸のうち第２の色相軸ＥＶＥＮと直交しない軸）のＲ，Ｇ，Ｂの比率にゲイン変換し、対応する加算器１５，１６，１７に出力する。この例の場合、ｆ２はＲ：Ｇ：Ｂ＝１：０：１なので、Ｒ：Ｇ：Ｂ＝１：０：１の比率にゲイン変換し出力する。この信号が加算されればｆ２軸上方向のゲインが可変されることになる。
【００４３】
各Ｒ軸方向ゲイン変換回路ＯＤＤ８、Ｇ軸方向ゲイン変換回路ＯＤＤ９、Ｂ軸方向ゲイン変換回路ＯＤＤ１０及びＲ軸方向ゲイン変換回路ＥＶＥＮ１１、Ｇ軸方向ゲイン変換回路ＥＶＥＮ１２、Ｂ軸方向ゲイン変換回路ＥＶＥＮ１３へのゲイン変換の比率は、制御信号発生回路１４により、領域１に対応する上記比率が設定される。
【００４４】
このようにして、色相領域１を挟む２軸、ｆ１及びｆ２の軸上方向のゲインを変えるように色相軸ＯＤＤ（ｆ５）及び色相軸ＥＶＥＮ（ｆ４）の信号成分が変換され、加算器１５，１６，１７で入力３原色信号に加算されることにより、色相領域１の彩度が可変される。
【００４５】
ここで、ゲインセレクト回路ＯＤＤ６及びゲインセレクト回路ＥＶＥＮ７のゲインセレクトの仕方を図５を用いて説明する。
【００４６】
図５では色相領域１及び２について彩度の補正を行う場合の例を示している。前述したように、色相領域１に対しては、色相軸選択回路３より出力される色相軸ＯＤＤはｆ５、色相軸ＥＶＥＮはｆ４である。同様に色相領域２に対しては、第１の色相軸ＯＤＤはｆ５、第２の色相軸ＥＶＥＮはｆ６が選択される。ゲインセレクト回路ＯＤＤ６は、制御信号発生回路１４により、領域１ではゲイン定数ＡＧ１を、領域２ではゲイン定数ＡＧ３を選択する。また、ゲインセレクト回路ＥＶＥＮ７は領域１ではゲイン定数ＡＧ２を、領域２でもゲイン定数ＡＧ２を選択する。つまり色相領域の境界付近での補正のゲインを同じ定数にして、境界で補正の段差が出るのを防いでいる。すなわち、領域１〜領域６の色相軸ｆ１〜ｆ６に対応するゲイン定数はＡＧ１〜ＡＧ６、領域７〜１２の色相軸ｆ１〜ｆ６に対応するゲイン定数はＡＧ７〜ＡＧ１２を選択する。
【００４７】
さらに、色相軸ｆ５は色相軸ｆ２と直交する信号なので、色相軸ｆ１及びｆ３で最大レベル、色相軸ｆ２で最小（０）レベルとなる。したがって、色相軸ｆ５による補正は、色相軸ｆ２に対しては何も影響しない。逆に、色相軸ｆ４は、色相軸ｆ１と直交する信号なので、色相軸ｆ２で最大レベル、色相軸ｆ１で最小レベルとなり、色相軸ｆ４による補正は、色相軸ｆ１に対しては何も影響せず、また、色相軸ｆ６は、色相軸ｆ３と直交する信号なので、色相軸ｆ２で最大レベル、色相軸ｆ３で最小（０）レベルとなり、色相軸ｆ６による補正は、色相軸ｆ３に対しては何も影響しない。
【００４８】
図５に示すように色相軸ｆ１，ｆ２，ｆ３の軸上に補正のゲインの振幅を図示すると、図中ａ〜ｃのようになり、ゲイン定数ＡＧ１，ＡＧ２，ＡＧ３をそれぞれ可変することにより、色相領域１ではａとｂの加算、色相領域２ではｂとｃの加算により、それぞれの領域内の彩度を別個に可変することができる。他の色相領域についても同様である。
【００４９】
以上のように本発明の実施の形態１によれば、Ｒ、Ｍａ、Ｂ、Ｃｙ、Ｇ、Ｙｅの６色に近い色はもちろん、それらの各２色間の中間色に対しても有効に作用する彩度の補正を独立に行うことができる。また、本実施の形態の場合、色相領域を１２等分しているので、各軸上の３原色信号の比率はＲ：Ｇ：Ｂ＝０：０：１，Ｒ：Ｇ：Ｂ＝１：０：２，Ｒ：Ｇ：Ｂ＝１：０：１，Ｒ：Ｇ：Ｂ＝２：０：１，Ｒ：Ｇ：Ｂ＝１：０：０等（例えば色相領域１２，１，２，３、他の領域も同様）簡単な比率になるので、各Ｒ軸方向ゲイン変換回路ＯＤＤ８、Ｇ軸方向ゲイン変換回路ＯＤＤ９、Ｂ軸方向ゲイン変換回路ＯＤＤ１０及びＲ軸方向ゲイン変換回路ＥＶＥＮ１１、Ｇ軸方向ゲイン変換回路ＥＶＥＮ１２、Ｂ軸方向ゲイン変換回路ＥＶＥＮ１３は乗算器を使わなくてもデジタルデータのビットシフトで簡単な回路で実現できる。
【００５０】
また、上述の従来例のように、補正する色を補正する色を挟む基準軸と補助基準軸に分解するための手段などを必要とせず、比較的簡単な回路構成で実現できる。
【００５１】
なお、特に説明しなかったが、ゲイン定数ＡＧ１〜ＡＧ１２の値の書き換え及び設定は、図示していないマイコン等の手段により、適宜実現可能なものである。  （実施の形態２）
図６は本発明の実施の形態２による色補正装置の構成を示すブロック図である。    図６において、１は色相軸生成回路、２は色相領域識別回路、３は第１，第２の色相軸として色相軸ＯＤＤ及びＥＶＥＮの２軸を選択する色相軸選択回路、４，５はゲインコントロール回路ＯＤＤ及びＥＶＥＮ、６，７はゲインコントロール回路ＯＤＤ４及びＥＶＥＮ５にゲイン定数を切り換え出力するゲインセレクト回路ＯＤＤ及びＥＶＥＮ、１５，１６，１７は加算器、１８，１９，２０，２１，２２，２３はＲ軸方向、Ｇ軸方向、Ｂ軸方向ゲイン変換回路、２５はゲインセレクト回路ＯＤＤ６及びＥＶＥＮ７に与えられる色度のゲインの正負を判定するゲイン正負判定回路、２４は色相領域識別回路２及びゲイン正負判定回路２５の出力信号により各回路へ制御信号を出力する制御回路としての制御信号発生回路であり、上述の図１に示した構成要素と同じ物には、同一符号を付し、その説明は省略する。
【００５２】
実施の形態１の図１との相違点は、Ｒ軸方向、Ｇ軸方向、Ｂ軸方向ゲイン変換回路ＯＤＤ１８，１９，２０がゲインコントロール回路ＯＤＤ４の出力信号に対して、色補正を行う２軸のうち第１の色相軸ＯＤＤと直交していない軸に対し、その軸に垂直な方向に色相を動かす赤色、緑色、青色成分の比率にゲイン変換することである。同様にＲ軸方向、Ｇ軸方向、Ｂ軸方向ゲイン変換回路ＥＶＥＮ２１，２２，２３が、ゲインコントロール回路ＥＶＥＮ５の出力信号に対して、色補正を行う２軸のうち第２の色相軸ＥＶＥＮと直交していない軸に対し、その軸に垂直な方向に色相を動かす赤色、緑色、青色成分の比率にゲイン変換することである。また、色度のゲインに対し、そのゲインの正負を判別するゲイン正負判別回路２５が付加されている点と、制御信号発生回路２４が色相領域識別回路２の出力信号のみならず、ゲイン正負判定回路２５の出力信号とにより、各回路へ制御信号を出力している点である。
【００５３】
実施の形態１が彩度を可変する色補正装置であるのに対し、実施の形態２では、色度を可変させる色補正装置である。
【００５４】
以上のように構成された実施の形態２による色補正装置の動作について、図７を用いて以下説明する。
【００５５】
図７は実施の形態１で説明した色相軸ｆ１〜ｆ６で分割された色相領域について、本実施の形態２での補正の様子を説明する説明図である。図７で矢印に示した方向にそれぞれの色相軸を動かす場合を考える。なおゲイン定数は図７上で時計回りが正、反時計回りが負とする。また図７上での−ｆ５、−ｆ６、−ｆ２等の符号は補正領域でのその色相軸の正負を示しており、例えば、領域１では、色相軸ｆ５は、上述の図３に示されるように負であり、同様に、領域２では、色相軸ｆ６は、図３に示されるように正である。また、Ｒ，Ｇ，Ｂのゲインの比率の正負は、本来のＲ，Ｇ，Ｂのゲインの比率に、その色相軸の正負と時計回り、反時計回りのゲインの正負とを掛け合わせたものを示している。
【００５６】
例えば色相領域１については、実施の形態１と同様に第１の色相軸ＯＤＤとしてはｆ５が、第２の色相軸ＥＶＥＮとしてはｆ４が色相軸選択回路３より出力される。その後色相軸ＯＤＤの信号は、ゲインコントロール回路ＯＤＤ４により、ゲインセレクト回路ＯＤＤ６から出力されるゲイン信号により所定のゲイン定数が乗算され、Ｒ軸方向ゲイン変換回路ＯＤＤ１８、Ｇ軸方向ゲイン変換回路ＯＤＤ１９、Ｂ軸方向ゲイン変換回路ＯＤＤ２０に出力される。それぞれのゲイン変換回路ＯＤＤは、入力される色相軸ＯＤＤの信号を色相軸ｆ１（つまり、色相領域１を挟む２軸のうち第１の色相軸ＯＤＤと直交しない軸）に対しその軸に垂直な方向のＲ、Ｇ、Ｂの比率にゲイン変換し、対応する加算回路１５，１６，１７に出力する。
【００５７】
この例の場合、色相軸ｆ１に垂直な方向（反時計回り）の本来のＲ，Ｇ，Ｂのゲインの比率は、Ｒ：Ｇ：Ｂ＝１：０：０であり、補正に使用する色相軸ｆ５の領域１における符号は、上述の図３に示されるように負であり、さらに、反時計回りのゲイン定数は負であるから、最終的なＲ，Ｇ，Ｂのゲインの比率は、Ｒ：Ｇ：Ｂ＝１：０：０となるので、Ｒ軸方向ゲイン変換回路ＯＤＤ１８、Ｇ軸方向ゲイン変換回路ＯＤＤ１９、Ｂ軸方向ゲイン変換回路ＯＤＤ２０では、Ｒ：Ｇ：Ｂ＝１：０：０の比率にゲイン変換し出力する。このゲイン変換された信号が入力３原色信号に加算されれば、色相軸ｆ１の位相つまり色度が、色相軸ｆ５の信号を用いて可変されることになる。
【００５８】
同様に色相軸ＥＶＥＮの信号はゲインコントロール回路ＥＶＥＮ５により、ゲインセレクト回路ＥＶＥＮ７から出力されるゲイン信号により所定のゲイン定数が乗算され、Ｒ軸方向ゲイン変換回路ＥＶＥＮ２１、Ｇ軸方向ゲイン変換回路ＥＶＥＮ２２、Ｂ軸方向ゲイン変換回路ＥＶＥＮ２３に出力される。それぞれのゲイン変換回路ＥＶＥＮは、入力される色相軸ＥＶＥＮの信号を色相軸ｆ２（つまり、色相領域１を挟む２軸のうち第２の色相軸ＥＶＥＮと直交しない軸）に対しその軸に垂直な方向のＲ，Ｇ，Ｂの比率にゲイン変換し、対応する加算回路１５，１６，１７に出力する。
【００５９】
この例の場合、色相軸ｆ２に垂直な方向（時計回り方向）の本来のＲ，Ｇ，Ｂのゲインの比率は、Ｒ：Ｇ：Ｂ＝−１：０：１であり、補正に使用する色相軸ｆ４の領域１における符号は、上述の図３に示されるように正であり、さらに、時計回りのゲイン定数は正であるから、最終的なＲ，Ｇ，Ｂのゲインの比率は、Ｒ：Ｇ：Ｂ＝−１：０：１なので、Ｒ軸方向ゲイン変換回路ＥＶＥＮ２１、Ｇ軸方向ゲイン変換回路ＥＶＥＮ２２、Ｂ軸方向ゲイン変換回路ＥＶＥＮ２３では、Ｒ：Ｇ：Ｂ＝−１：０：１の比率にゲイン変換し出力する。このゲイン変換された信号が入力３原色信号に加算されれば、色相軸ｆ２の位相つまり色度が、色相軸ｆ４の信号を用いて可変されることになる。
【００６０】
また、例えば、色相軸ｆ２を、それに垂直な反時計回りの方向に動かす場合には、本来のＲ，Ｇ，Ｂのゲインの比率は、Ｒ：Ｇ：Ｂ＝１：０：−１であり、補正に使用する色相軸ｆ６の領域２における符号は、上述の図３に示されるように正であり、さらに、反時計回りのゲイン定数は負であるから、最終的なＲ，Ｇ，Ｂのゲインの比率は、Ｒ：Ｇ：Ｂ＝−１：０：１となり、Ｒ軸方向ゲイン変換回路ＥＶＥＮ２１、Ｇ軸方向ゲイン変換回路ＥＶＥＮ２２、Ｂ軸方向ゲイン変換回路ＥＶＥＮ２３では、Ｒ：Ｇ：Ｂ＝−１：０：１の比率にゲイン変換して入力３原色信号に加算することになる。
【００６１】
なお、色相領域３，４の境界の色相軸ｆ４の位相を変える場合には、時計回りまたは反時計回りで補正信号のＲに対するＢとＧの比率が入れ替わる。すなわち、色相領域３に対しては時計回りが、Ｒ：Ｇ：Ｂ＝−１：０：−２、反時計回りがＲ：Ｇ：Ｂ＝１：２：０である。
【００６２】
すなわち、色相領域３において、色相軸ｆ４を、色相軸ｆ６を用いて時計回りに動かす場合には、本来のＲ，Ｇ，Ｂのゲインの比率は、Ｒ：Ｇ：Ｂ＝１：０：２であり、補正に使用する色相軸ｆ６の領域３における符号は、上述の図３に示されるように負であり、さらに、時計回りのゲイン定数は正であるから、最終的なＲ，Ｇ，Ｂのゲインの比率は、Ｒ：Ｇ：Ｂ＝−１：０：−２となるのに対して、色相領域３において、色相軸ｆ４を、色相軸ｆ６を用いて反時計回りに動かす場合には、本来のＲ，Ｇ，Ｂのゲインの比率は、Ｒ：Ｇ：Ｂ＝１：２：０であり、補正に使用する色相軸ｆ６の領域３における符号は、上述の図３に示されるように負であり、さらに、反時計回りのゲイン定数は負であるから、最終的なＲ，Ｇ，Ｂのゲインの比率は、Ｒ：Ｇ：Ｂ＝１：２：０となる
同様に、色相領域４において、色相軸ｆ４を、色相軸ｆ２を用いて動かす場合には、時計回りが、Ｒ：Ｇ：Ｂ＝−１：０：−２、反時計回りがＲ：Ｇ：Ｂ＝１：２：０である。
【００６３】
したがって、色相領域３，４の境界の色相軸ｆ４を動かす場合には、時計回りであるか反時計回りであるか、すなわち、ゲインの正負によって、ゲイン変換回路２１〜２３におけるゲインの比率を切り替える必要があり、このため、ゲイン正負判定回路２５によって、ゲインの正負、例えば色相軸ｆ４であれば、ＰＧ４のゲインの正負を判定して制御信号発生回路２４は、ゲイン変換回路２１〜２３のゲインを切り替えるようにしている。
【００６４】
なお、このゲインの切り替えは、色相領域３，４の境界の色相軸ｆ４以外に、色相領域７，８の境界の色相軸ｆ２、色相領域１１，１２の境界の色相軸ｆ６、すなわち、原色信号の色相軸を動かす場合にも同様に必要となる。
【００６５】
なお、実施の形態１と同様に、各補正量は、補正領域を挟む２軸の補正量が互いに他の軸上では零になる。（補正信号の色相軸と、補正される領域の色相軸が垂直に交差するため）したがって、各色相軸の位相変化を独立に行うことができる。
【００６６】
また、位相変化の連続性を保つ為に、ゲインセレクト回路ＯＤＤ６及びＥＶＥＮ７のゲイン定数の選択も実施の形態１と同様に、色相領域の境界付近で同じ定数を選択するようにしている。例えば色相軸ｆ２の補正信号ｆ４及びｆ６のゲイン定数の設定は共通にするように選択する。他の色相領域も同様である。
【００６７】
以上のように本発明の実施の形態２によれば、Ｒ、Ｍａ、Ｂ、Ｃｙ、Ｇ、Ｙｅの６色に近い色はもちろん、それらの各２色間の中間色に対しても有効に作用する色度の補正を独立に行うことができる。
【００６８】
また、本実施の場合も実施の形態１と同様に、色相領域を１２等分しているので、各色相軸に垂直な方向の３原色信号の比率は簡単な比率になるので、各Ｒ軸方向ゲイン変換回路ＯＤＤ１８、Ｇ軸方向ゲイン変換回路ＯＤＤ１９、Ｂ軸方向ゲイン変換回路ＯＤＤ２０及びＲ軸方向ゲイン変換回路ＥＶＥＮ２１、Ｇ軸方向ゲイン変換回路ＥＶＥＮ２２、Ｂ軸方向ゲイン変換回路ＥＶＥＮ２３は乗算器を使わなくてもデジタルデータのビットシフトで簡単な回路で実現できる。
【００６９】
また、特に説明しなかったが、ゲイン定数ＰＧ１〜ＰＧ１２の値の書き換え及び設定は、図示していないマイコン等の手段により、適宜実現可能なものである。    なお実施の形態１及び実施の形態２では、色相座標を１２等分する色相軸を選択したが、それぞれの色相軸に直交する色相軸が存在するならば、例えば２４分割、３６分割のさらに細かい分割でも良く、さらに細かい色相領域で同様な効果が出せることは言うまでもない。
【００７０】
また、実施の形態１及び実施の形態２を組み合わせて、彩度及び色度をそれぞれ別個に補正する色補正回路を提供できることも言うまでもない。
【００７１】
（実施の形態３）
図８は本発明の実施の形態３における色補正装置の構成を示すブロック図である。
【００７２】
図８において、２６はＲ，Ｇ，Ｂの３原色信号の基準信号を発生する基準色信号発生回路、２７は入力映像信号の３原色信号と、基準色信号発生回路２６の３原色出力信号を切り換える切り換え回路、２８は、上述の実施の形態１または２と同様の彩度または色度の補正を行う彩度，色度補正回路であり、この彩度，色度補正装置２８と加算回路３１〜３３とによって、上述の実施の形態１または２を組み合わせた色補正装置が構成される。
【００７３】
２９は、色補正装置に入力される信号が、基準色信号の場合と、被写体としてのカラーバーチャートを実際に撮像した入力映像信号の場合との色補正量の差を算出する補正量差算出回路、３０は予め設定された補正量の差の基準レベルである補正量差基準レベルと補正量差算出回路２９の出力信号とを比較してその差に応じた出力を与える比較回路である。
【００７４】
以上のように構成された本実施の形態３の色補正装置の動作について図９〜図１１を用いて以下説明する。
【００７５】
図９は補正量差算出回路２９及び比較回路３０の内部構成の一例を示すブロック図である。図９で、３４，３５はディレイフリップフロップ、３６は反転ゲート、３７，３８はＡＮＤゲート、３９，４１は減算器、４０は絶対値回路、４２はゲート回路である。図１０は基準色信号発生回路２６から発生される信号の一例を示し、図１１は図８の色補正装置の各部の信号波形図である。
【００７６】
基準信号発生回路２６は、例えば図１０に示す信号を発生する。これは所謂カラーバー信号であり、各３原色信号ＲＳ，ＧＳ，ＢＳ成分は図１０に示すように、１水平走査期間を７分割した時間ｔを単位に、１００％（７５％）レベルと０％レベルで切り換わる。したがって、Ｒ，Ｇ，Ｂ，Ｍａ，Ｃｙ，Ｙｅの基準位相でありかつ彩度レベルの高い信号を出力する。一方入力映像信号も基準信号と同じパターンのカラーバーチャートを撮像した信号を入力する。
【００７７】
これらの信号が切り換え回路２７で切り換え信号により切り換えられる。例えば図１１（ａ）に示すように切り換え信号が、ｔ／２でＨｉｇｈ，Ｌｏｗを繰り返す信号であるとし、Ｌｏｗの時、基準信号を、Ｈｉｇｈの時、入力信号を選択すように切り換える。次にこの切り換え回路２７の出力信号が彩度，色度補正回路２８に入力され、彩度または色度の補正信号が出力される。
【００７８】
ここで彩度のみ補正をしている場合を示すと、例えばＲ信号期間の補正信号出力は図１１（ｂ）に示すように、基準信号期間がＲＳＣで、被写体期間がＲＣのレベルで出力される。もともと彩度のレベルの高い基準信号期間のレベルが大きく出力される。この信号が次段の補正量差算出回路２９及び加算回路３１〜３３へ出力される。
【００７９】
補正量差算出回路２９は例えば図９のような構成になっており、図１１（ｂ）の補正量信号が入力されると、ディレイフリップフロップ３４に対しては、反転ゲート３６とアンドゲート３７により、外部から入力されるクロックが、切り換え信号のＬｏｗの期間にイネーブルになりＬｏｗからＨｉｇｈになった瞬間にディスイネーブルになる。したがって、その瞬間にＲＳＣのデータがホールドされる。一方ディレイフリップフロップ３５は、切り換え信号がＨｉｇｈになっている期間にクロックがアンドゲート３８によりイネーブルになり、ＲＣのデータを出力する。したがって、減算回路３９では、被写体期間の補正信号が出力されている期間（後半のｔ／２の期間）に、基準信号期間の補正量ＲＳＣから被写体期間の補正量ＲＣを減算した信号ＲＣＤが出力される。この信号が次の絶対値回路４０で絶対値がとられ、図１１（ｃ）に示すように補正量の差信号として出力される。    比較回路３０では、減算回路４１により、この補正量差信号から、予め設定された補正量差基準レベルＲＣＤＳを減算し、ゲート回路４２で、不要部分をゲートし、図１１（ｄ）に示す比較信号を出力する。この補正量差比較出力を図示していないマイコン等により検出し、このレベルが一定値もしくは零になるように、彩度，色度補正回路２８の彩度ゲイン、すなわち、図１のＡＧ１〜ＡＧ１２をコントロールする。これにより、彩度の補正を、その補正量が基準信号をもとにした、ある一定の量になるように調整することができる。
【００８０】
また、色度のついても同様に調整することができる。また他の色相の色についても同様に行うことができることは言うまでもない。
【００８１】
また、補正量差の算出は、マイコン等の処理の都合に応じ、例えば垂直走査期間（Ｖ）レートで出力するようにしてもいいことは言うまでもない。
【００８２】
このように本実施の形態３の色補正装置においては、彩度または色度の補正量を、基準信号をもとに設定した補正量に設定することができ、例えば、同一条件でテストチャートを撮像すれば、複数のテレビジョンカメラの色補正をまったく同一に調整することができる。
【００８３】
（実施の形態４）
図１２は本発明の実施の形態４における色補正装置の構成を示すブロック図である。
【００８４】
図１２において、４３は実施の形態１または２で説明した回路と同等の彩度または色度の補正を行う彩度，色度補正回路、この彩度，色度補正回路４３と加算回路４４，４５，４６とによって、上述の実施の形態１または２の色補正装置が構成される。４７は高彩度時の周波数を補正するクロマディテール回路、４８はクロマディテール回路４７のゲインをコントロールするゲインコントロール回路である。
【００８５】
以上のように構成された、本実施の形態４の色補正装置の動作について図１３，図１４を用いて以下説明する。
【００８６】
図１３はクロマディテール回路４７の内部構成の一例を示すブロック図である。図１３で、４９はＹ，色差マトリクス回路、５０〜５２はハイパスフィルタ、５３，５５は加算器、５４は乗算器である。
【００８７】
彩度，色度補正回路４３は、図示していないマイコン等から設定される彩度または色度のゲイン設定により彩度または色度の補正信号を出力する。この信号が入力３原色信号と加算器４４〜４５で加算されることにより、彩度または色度の補正された信号が作成される。
【００８８】
また、さらに色の再現性の補正として、ＮＴＳＣのコンポジット信号にした時に、定輝度原理がくずれ、高彩度時に高周波の劣化が生じるのを防ぐ目的で、高彩度時の周波数補正を行うクロマディテール回路があるが、彩度，色度補正回路４３を持つテレビジョンカメラ等においては、彩度または色度の補正により、色調が変化する。したがって、忠実な色再現性を追求するならば、この色調の変化に応じたクロマディテールの処理が必要になり、図１２に示すように、色補正された信号を、クロマディテール回路４７に入力する回路構成が自然である。この場合、彩度または色度の補正の仕方によっては不具合が発生する。
【００８９】
以下それを説明する。クロマディテール回路４７の内部構成は図１３のようになっており、色補正された信号が入力されると、Ｙ，色差マトリクス回路４９で、輝度信号Ｙ及び色差信号＜Ｒ−Ｙ＞，＜Ｇ−Ｙ＞，＜Ｂ−Ｙ＞が出力される。＜＞は正信号を示す。これらの色差信号はハイパスフィルタ５０〜５２に入力され、それらの出力の高周波成分が、加算器５３に入力され加算される。さらに、ゲインコントロール回路４８のゲインコントロール信号により乗算器５４でゲイン調整され、加算器５５で輝度信号Ｙと加算され、周波数補正された輝度信号が出力される。
【００９０】
以上がクロマディテール回路４７の動作であるが、ここで色補正として、彩度の補正がなされた場合を考える。図１４（ａ）に示すＲの単色信号が入力されたとすると（実線が彩度補正のない場合、点線が彩度補正のある場合を示す）、輝度信号は同図（ｂ）に示すようになり、色差信号は正のみの信号なので、＜Ｒ−Ｙ＞のみとなり、同図（ｃ）のようになる。この時、ハイパスフィルタ５０の出力は、彩度補正のない場合、同図（ｅ）のようになり、彩度補正のある場合は、同図（ｄ）のようになる。さらにこれらの信号が乗算器５４でゲインコントロールされ、加算器５５で輝度信号Ｙと加算されると、同図（ｇ）及び（ｆ）のクロマディテール補正された輝度信号が出力される。
【００９１】
図１４の各信号波形図から分かるように、彩度補正がなされると、補正が正、つまり彩度を増す場合、点線部分が加算されることにより、色差信号レベルも増え、クロマディテールも増える。したがって、補正量が多い場合、クロマディテールが付きすぎ、先鋭感ありすぎて、画質の品位を劣化するという問題が生じる。    そこで本実施の形態４の色補正装置では、図示していないマイコン等より設定される彩度または色度ゲインと、クロマディテールゲインが入力され、彩度または色度ゲインの値により、クロマディテールゲインを調整し、その調整したクロマディテールゲインをクロマディテール回路４７に与えるゲインコントロール回路４８を有している。
【００９２】
この例の場合、図１４（ｄ）の点線のディテールレベルが同図（ｅ）のディテールレベルになるようにゲインを落とすようにコントロールする。これにより、彩度補正していない場合とほぼ同等のゲイン設定のクロマディテール補正が可能となる。
【００９３】
なお、彩度及び色度補正がなされた場合にも、本実施の形態では、その色調に応じたクロマディテールの補正がなされるが、その時にも、彩度及び色度のゲイン設定に応じて適切にクロマディテールゲインを調整することにより、クロマディテールのレベルを適切なゲインにすることができる。
【００９４】
このように本実施の形態４の色補正装置では、彩度，色度補正回路及びクロマディテール回路を備えたテレビジョンカメラ等において、色調と、クロマディテールレベルを適切に調整することができ、良好な色再現性，及び先鋭感を実現できる。
【００９５】
上述の実施の形態３，４においては、実施の形態１または２の彩度または色度のいずれか一方を補正する色補正装置に適用したけれども、本発明の他の実施の形態として、実施の形態１および２を組み合わせて彩度および色度の両者の色補正を行う色補正装置に適用してもよい。
【００９６】
また、上述の実施の形態３，４では、実施の形態１，２の本発明に係る色補正装置に適用したけれども、本発明の他の実施の形態として、従来の色補正装置に適用してもよい。例えば、図１５の従来例に適用する場合には、定数選択回路６１の定数（ゲイン）を調整し、あるいは、この定数を用いてクロマディテール回路のゲインをコントロールすればよい。
【００９７】
【発明の効果】
以上のように本発明によれば、簡単な構成で、色相座標上を複数に分割し、その分割した各色相領域の彩度および色度の少なくとも一方を、それぞれ独立に補正することができ、色相領域を細かく分割することによって、中間色の彩度および色度の少なくとも一方を、細かく調整できることになる。
【００９８】
また複数台のテレビジョンカメラを、同一のテストチャートを撮像することにより、まったく同一の彩度および色度の少なくとも一方の補正を設定すことができ、各テレビジョンカメラの色調を簡単にかつ正確に合わせることができる。
【００９９】
また、彩度および色度の少なくとも一方の色調補正と、クロマディテール補正による先鋭度補正の両立を図ることができる。このように、色補正、色再現性において、上記の効果が得られる色補正装置を提供できる。
【図面の簡単な説明】
【図１】本発明の実施の形態１による色補正装置の構成を示すブロック図
【図２】色相座標上を６種類の色相軸で１２分割した場合の概念図
【図３】分割された色相領域の各領域と、色相軸信号の正負の対応を示す色相領域判別表
【図４】実施の形態１での色補正の一例を説明する説明図
【図５】ゲインセレクトの仕方とゲインのかかり方を説明する説明図
【図６】本発明の実施の形態２による色補正装置の構成を示すブロック図
【図７】実施の形態２での色度補正を説明する説明図
【図８】本発明の実施の形態３による色補正装置の構成を示すブロック図
【図９】補正量差算出回路２９及び比較回路３０の内部構成の一例を示すブロック図
【図１０】基準色信号発生回路２６から発生される信号の一例を示す図
【図１１】実施の形態３における色補正装置の回路の信号波形図
【図１２】本発明の実施の形態４による色補正装置の構成を示すブロック図
【図１３】クロマディテール回路４７の内部構成の１例を示すブロック図
【図１４】クロマディテール回路４７の動作を説明する信号波形図
【図１５】従来の色補正装置の構成を示すブロック図
【図１６】従来の色補正における色相領域の説明図
【図１７】従来の色補正における色相領域の概念図
【図１８】従来の色補正においての原色成分と補色成分の算定原理の説明図
【図１９】従来技術による補正特性図
【符号の説明】
１色相軸生成回路
２色相領域識別回路
３色相軸選択回路
４，５ゲインコントロール回路ＯＤＤ及びゲインコントロール回路ＥＶＥＮ
６，７ゲインセレクト回路ＯＤＤ及びゲインセレクト回路ＥＶＥＮ
８，１８Ｒ軸方向ゲイン変換回路ＯＤＤ
９，１９Ｇ軸方向ゲイン変換回路ＯＤＤ
１０，２０Ｂ軸方向ゲイン変換回路ＯＤＤ
１１，２１Ｒ軸方向ゲイン変換回路ＥＶＥＮ
１２，２２Ｇ軸方向ゲイン変換回路ＥＶＥＮ
１３，２３Ｂ軸方向ゲイン変換回路ＥＶＥＮ
１４，２４制御信号発生回路
１５，１６，１７，３１，３２，３３，４４，４５，４６，５３，５５加算器
２５ゲイン正負判定回路
２６基準色信号発生回路
２７切り換え回路
２８，４３彩度，色度補正回路
２９補正量差算出回路
３０比較回路
３４，３５ディレイフリップフロップ
３６反転ゲート
３７，３８ＡＮＤゲート
３９，４１減算器
４０絶対値回路
４２ゲート回路
４７クロマディテール回路
４８ゲインコントロール回路
４９Ｙ，色差マトリクス回路
５０，５１，５２ハイパスフィルタ
５４乗算器
【図１】
0003564333.tif 000002
【図２】
0003564333.tif 000003
【図３】
0003564333.tif 000004
【図４】
0003564333.tif 000005
【図５】
0003564333.tif 000006
【図６】
0003564333.tif 000007
【図７】
0003564333.tif 000008
【図８】
0003564333.tif 000009
【図９】
0003564333.tif 000010
【図１０】
0003564333.tif 000011
【図１１】
0003564333.tif 000012
【図１２】
0003564333.tif 000013
【図１３】
0003564333.tif 000014
【図１４】
0003564333.tif 000015
【図１５】
0003564333.tif 000016
【図１６】
0003564333.tif 000017
【図１７】
0003564333.tif 000018
【図１８】
0003564333.tif 000019
【図１９】
0003564333.tif 000020